(57)【要約】【課題】圧縮機の能力制御を行う冷蔵庫の運転装置において、冷凍室を早く冷却することにより、連続運転による回転圧縮機の巻線の焼付け故障を防止することを目的としている。【解決手段】冷凍室温度検知手段１３と、冷凍室温度設定手段１４により冷凍室温度差演算手段１５を演算し、冷蔵室温度検知手段１６と、冷蔵室温度設定手段１７により冷蔵室温度差演算手段１８を演算し、切替弁駆動手段１２により切替弁の駆動を行い、冷凍室温度差演算手段１５より圧縮機７の回転数を指令する圧縮機回転数決定手段２０で決定した後、回転数補正判定手段２２より決定された回転数にて圧縮機７を駆動する圧縮機駆動手段２１と、冷蔵室温度設定手段１７により切替弁１２を冷蔵室から冷凍室に切替え、圧縮機回転数を上げて冷凍室の冷却能力を上げることにより、高い信頼性が得られる。【選択図】図１
2005164192.tif 000002
【特許請求の範囲】
【請求項１】
食品を貯蔵し冷却することができる冷蔵庫において、冷凍室温度を検知する冷凍室温度検知手段と、冷凍室温度を設定する冷凍室温度設定手段と、前記冷凍室温度により検知した庫内温度と前記冷凍室設定温度手段により設定された設定温度との温度差を演算する冷凍室温度差演算手段と、冷蔵室温度を検知する冷蔵室温度検知手段と、冷蔵室温度を設定する冷蔵室温度設定手段と、前記冷蔵室温度により検知した庫内温度と前記冷蔵室設定温度手段により設定された設定温度との温度差を演算する冷蔵室温度差演算手段と、冷蔵室温度差演算手段により切替弁の駆動を行う切替弁駆動手段と、冷凍室温度差演算手段より圧縮機の回転数を指令する圧縮機回転数決定手段と、前記圧縮機回転数決定手段より決定された回転数にて圧縮機を駆動する圧縮機駆動手段と、圧縮機が同一回転数で一定時間経過すると圧縮機回転数を上げる回転数補正判定手段と、回転数補正手段より冷蔵室の設定温度を上げる冷蔵室設定温度補正手段からなり、回転数補正判定手段により冷蔵室設定温度補正手段の冷蔵室設定温度を上げ、冷凍室の冷却を冷蔵室より優先させ圧縮機回転数を上げることにより冷凍室の冷却能力を上げるように構成した冷蔵庫の制御装置。
【発明の詳細な説明】
【技術分野】
【０００１】
本発明は、圧縮機の能力制御を行う冷蔵庫の運転装置に関するものである。
【背景技術】
【０００２】
従来、冷蔵庫の圧縮機の回転数を変えることにより、圧縮機の能力制御を行い冷却能力の最適化を行うものがある。（例えば、特許文献１参照）
以下図面を参照にしながら上述した従来の冷蔵庫の運転装置の一覧について説明する。
【０００３】
図３は、従来の冷蔵庫の運転装置の断面図を示すものである。図３において、１は冷蔵庫本体で、区画壁２により上部に冷蔵室３、野菜室４、下部に冷凍室５、製氷室６に区画されている。７は圧縮機であり、８は凝縮機であり、前記冷蔵庫本体１の外壁内側に設けられている。９は冷凍室冷却器、１０は吸入管であり、１１は冷蔵室冷却器、冷凍室５と冷蔵室３の冷却切替を行う切替弁１２である。前記圧縮機７、凝縮機８、減圧縮（図示せず）、冷凍冷却器９、冷蔵冷却器１１、吸入管１０、切替弁１２は冷凍室と冷蔵室を直列に冷却を行い一連の冷凍サイクルを行っている。１３は冷凍室５の温度を検知する冷凍室温度検知手段、１４は冷凍室５の温度を設定する冷凍室温度設定手段である。冷凍室温度検知手段１３により検知した庫内温度と冷凍室温度設定手段１４により設定された設定温度との温度差を演算する冷凍室温度差演算手段１５である。１６は冷蔵室３の温度を検知する冷蔵室温度検知手段、１７は冷蔵室３の温度を設定する冷蔵室温度設定手段である。冷蔵室温度検知手段１６により検知した庫内温度と冷蔵室温度設定手段１７により設定された設定温度との温度差を演算する冷蔵室温度差演算手段１８がある。冷蔵室温度差演算手段１８の温度差がある場合は、冷蔵室が冷えていないため冷蔵室、冷凍室を冷却させ、冷蔵室温度差演算手段１８の温度差がない場合は、冷蔵室が冷えており冷凍室のみの冷却を開始させて、切替弁１２を駆動させる切替弁駆動手段１９である。冷凍室温度差演算手段１５より圧縮機７の回転数を指令する圧縮機回転数決定手段２０である。２１は圧縮機回転数決定手段２０により決定された回転数にて圧縮機８を駆動する圧縮機駆動手段により構成されている。
【０００４】
図４は、従来の冷蔵庫のフローチャートを示すものである。まず、電源を投入すると、ステップ１００として冷凍室温度の検出を行う冷凍室温度検知手段１３を読み込み、ステップ１０１で冷凍室設定温度の検出を行う冷凍室温度設定手段１４を読み込み、ステップ１０２で冷凍室温度と冷凍室設定温度の温度差である冷凍室温度差演算手段１９を演算する。ステップ１０３で冷凍室温度差演算手段１５で５℃以上の場合は、ステップ１０４で圧縮機回転数決定手段１７により例えば、回転数を３５００ｒ／ｍに設定する。ステップ１０５で冷凍室温度差演算手段１５において５℃以下でかつ、ステップ１０６で冷凍室温度差演算手段１５において３℃以上の場合は、ステップ１０７で圧縮機回転数決定手段２０により例えば、回転数を３０００ｒ／ｍに設定する。ステップ１０８で冷凍室温度差演算手段１９において３℃以下の場合は、ステップ１０９で圧縮機回転数決定手段２０により例えば、回転数を２５００ｒ／ｍに設定する。ステップ１１０で、圧縮機回転数決定手段２０により決定された回転数にて圧縮機８を駆動する圧縮機駆動手段２１である。この作用を繰り返して、通常の冷却運転が行われる。ステップ１１１として冷蔵室温度の検出を行う冷蔵室温度検知手段１６を読み込み、ステップ１１２で冷蔵室設定温度の検出を行う冷蔵室温度設定手段１７を読み込み、ステップ１１３で冷蔵室温度と冷蔵室設定温度の温度差である冷蔵室温度差演算手段１８を演算する。ステップ１１４で冷蔵室温度差演算手段１８の温度差が０℃以下の場合は、冷蔵室が冷却されているためステップ１１５で冷凍室を冷却させる。ステップ１１６で０℃以上の場合、ステップ１１７で冷凍室・冷蔵室を冷却し、切替弁駆動手段により切替弁を制御する。
【０００５】
以上のように構成された冷蔵庫の運転装置について、以下その動作を説明する。まず、冷凍室温度検知手段１３により検知した冷凍室温度と、冷凍室温度設定手段１４により設定された設定温度との温度差により冷凍室温度差演算手段１５を決定する。冷凍室温度差演算手段１５により圧縮機７の回転数を圧縮機回転数決定手段２０で決定させる。
この時、温度差が大きい場合は高い回転数で、また温度差が小さい時は低い回転数で動作させるようにして冷却付加に応じた冷却能力で運動できるように構成されている。
【特許文献１】特開昭６２−２３８９６２号公報
【発明の開示】
【発明が解決しようとする課題】
【０００６】
しかしながら、上記従来の構成は、冷凍室温度と設定温度により回転数を変えているが、圧縮機が外気侵入等により冷凍室庫内、冷蔵室庫内が一定時間経過しても設定温度以下にならない場合において同一回転数のままいつまでたっても変化しなく、圧縮機が連続運転を行うことになり圧縮機の巻き線を保護できないという欠点があった。
【０００７】
本発明は従来の課題を解決するもので、圧縮機が同一回転数で一定時間経過しても冷凍室の庫内温度が高い場合において、冷蔵室の設定温度を上げることにより冷蔵室冷却を終了させ、切替弁を冷凍室側に切替えることにより、冷凍室のみ冷却し、同一回転数が継続していると回転数を上昇させることができるため冷凍室の冷却能力を上がり、冷凍室の温度をいち早く下げることができ、運転時間が短縮することができ消費電力の向上を抑えることができ、圧縮機が同一回転数による連続運転を行うことがなくなり圧縮機の巻き線を保護することのできる冷蔵庫の運転装置を目的とする。
【課題を解決するための手段】
【０００８】
上記課題を解決するため、本発明の冷蔵庫の制御装置は、冷凍室温度を検知する冷凍室温度検知手段と、冷凍室温度を設定する冷凍室温度設定手段と、前記冷凍室温度により検知した庫内温度と前記冷凍室設定温度手段により設定された設定温度との温度差を演算する冷凍室温度差演算手段と、冷蔵室温度を検知する冷蔵室温度検知手段と、冷蔵室温度を設定する冷蔵室温度設定手段と、前記冷蔵室温度により検知した庫内温度と前記冷蔵室設定温度手段により設定された設定温度との温度差を演算する冷蔵室温度差演算手段と、冷蔵室温度差演算手段により切替弁の駆動を行う切替弁駆動手段と、冷凍室温度差演算手段より圧縮機の回転数を指令する圧縮機回転数決定手段と、前記圧縮機回転数決定手段より決定された回転数にて圧縮機を駆動する圧縮機駆動手段と、圧縮機が同一回転数で一定時間経過すると圧縮機回転数を上げる回転数補正判定手段と、回転数補正判定手段により冷蔵室設定温度を上げる冷蔵室設定温度補正手段とからなり、回転数補正判定手段と冷蔵室温度設定手段の冷蔵室設定温度を上げることにより、冷凍室の冷却を冷蔵室より優先させ圧縮機回転数を上げることにより冷凍室の冷却能力を上げる。
【発明の効果】
【０００９】
本発明の冷蔵庫の制御装置によれば、冷凍室温度を検知する冷凍室温度検知手段と、冷凍室温度を設定する冷凍室温度設定手段と、前記冷凍室温度により検知した庫内温度と前記冷凍室設定温度手段により設定された設定温度との温度差を演算する冷凍室温度差演算手段と、冷蔵室温度を検知する冷蔵室温度検知手段と、冷蔵室温度を設定する冷蔵室温度設定手段と、前記冷蔵室温度により検知した庫内温度と前記冷蔵室設定温度手段により設定された設定温度との温度差を演算する冷蔵室温度差演算手段と、冷蔵室温度差演算手段により切替弁の駆動を行う切替弁駆動手段と、冷凍室温度差演算手段より圧縮機の回転数を指令する圧縮機回転数決定手段と、前記圧縮機回転数決定手段より決定された回転数にて圧縮機を駆動する圧縮機駆動手段と、圧縮機が同一回転数で一定時間経過すると圧縮機回転数を上げる回転数補正判定手段と、回転数補正判定手段により冷蔵室設定温度を上げる冷蔵室設定温度補正手段とからなり、回転数補正判定手段と冷蔵室温度設定手段の冷蔵室設定温度を上げることにより、冷凍室の冷却を冷蔵室より優先させ圧縮機回転数を上げることにより冷凍室の冷却能力を上げることで、圧縮機が同一回転数による連続運転を行うことがなくなり圧縮機の巻き線を保護することができる。
【発明を実施するための最良の形態】
【００１０】
請求項１に記載の冷蔵庫の制御装置の発明は、冷凍室温度を検知する冷凍室温度検知手段と、冷凍室温度を設定する冷凍室温度設定手段と、前記冷凍室温度により検知した庫内温度と前記冷凍室設定温度手段により設定された設定温度との温度差を演算する冷凍室温度差演算手段と、冷蔵室温度を検知する冷蔵室温度検知手段と、冷蔵室温度を設定する冷蔵室温度設定手段と、前記冷蔵室温度により検知した庫内温度と前記冷蔵室設定温度手段により設定された設定温度との温度差を演算する冷蔵室温度差演算手段と、冷蔵室温度差演算手段により切替弁の駆動を行う切替弁駆動手段と、冷凍室温度差演算手段より圧縮機の回転数を指令する圧縮機回転数決定手段と、前記圧縮機回転数決定手段より決定された回転数にて圧縮機を駆動する圧縮機駆動手段と、圧縮機が同一回転数で一定時間経過すると圧縮機回転数を上げる回転数補正判定手段と、回転数補正判定手段により冷蔵室設定温度を上げる冷蔵室設定温度補正手段とからなり、回転数補正判定手段と冷蔵室温度設定手段の冷蔵室設定温度を上げることにより、冷凍室の冷却を冷蔵室より優先させ圧縮機回転数を上げることにより冷凍室の冷却能力を上げることができる。
【００１１】
以下、本発明の実施の形態について、図面を参照しながら説明する。なお、従来と同一構成については、同一符号を付して詳細な説明を省略する。また、この実施の形態によってこの発明が限定されるものではない。
【００１２】
（実施の形態１）
図１は、本発明の実施の形態による冷蔵庫の制御装置の断面図である。図２は、同実施例の冷蔵庫の運転装置のフローチャートである。
【００１３】
図１、図２において、２２は回転数補正手段で同一回転数で一定時間経過後回転数を上げ、２３は冷蔵室設定温度補正手段で前記回転数補正手段において冷蔵室設定温度１７を上げ冷蔵室温度差演算手段１８により温度差がなくなった場合は、切替弁を冷凍室に設定する。圧縮機回転数補正手段２２は、圧縮機回転数決定手段２０により決定された回転数にて、圧縮機７を駆動する圧縮機駆動手段２１からなる。
【００１４】
以上のように構成された冷蔵庫の運転装置について、以下にその動作を図２のフローチャートをもとに説明する。
【００１５】
まず、電源を投入すると、ステップ２００として冷凍室温度の検出を行う冷凍室温度検知手段１３を読み込み、ステップ２０１で冷凍室設定温度の検出を行う冷凍室温度設定手段１４を読み込み、ステップ２０２で冷凍室温度と冷凍室設定温度の温度差である冷凍室温度差演算手段１９を演算する。ステップ２０３で冷凍室温度差演算手段１５で５℃以上の場合は、ステップ２０４で圧縮機回転数決定手段１７により例えば、回転数を３５００ｒ／ｍに設定する。ステップ２０５で冷凍室温度差演算手段１５において５℃以下でかつ、ステップ２０６で冷凍室温度差演算手段１５において３℃以上の場合は、ステップ２０７で圧縮機回転数決定手段２０により例えば、回転数を３０００ｒ／ｍに設定する。ステップ２０８で冷凍室温度差演算手段１９において３℃以下の場合は、ステップ２０９で圧縮機回転数決定手段２０により例えば、回転数を２５００ｒ／ｍに設定する。ステップ２１０で、回転数補正判定手段２２で同一回転数で1時間以上経過した場合、ステップ２１１で上記に設定した回転数を２５００ｒ／ｍの場合３０００ｒ／ｍに、３０００ｒ／ｍの場合３５００ｒ／ｍに、３５００ｒ／ｍの場合４００００ｒ／ｍに、回転数を補正する。ステップ２１２において、圧縮機回転数決定手段２０により決定された回転数にて圧縮機８を駆動する圧縮機駆動手段２１である。ステップ２１３で、回転数補正判定手段２２で同一回転数で1時間以上経過していない場合は、ステップ２０４、ステップ２０７、ステップ２０９で設定された回転数で駆動する。この作用を繰り返して、通常の冷却運転が行われる。ステップ２１４として冷蔵室温度の検出を行う冷蔵室温度検知手段１６を読み込み、ステップ２１５で冷蔵室設定温度の検出を行う冷蔵室温度設定手段１７を読み込み、ステップ２１６で回転数補正判定手段２２で同一回転数で1時間以上経過した場合、冷蔵室温度設定補正手段２３により冷蔵室設定温度を上げ、ステップ２１７で冷蔵室温度と冷蔵室設定温度の温度差である冷蔵室温度差演算手段１８を演算する。ステップ２１８で冷蔵室温度差演算手段１８の温度差が０℃以下の場合は、冷蔵室が冷却されているためステップ２１９で冷凍室を冷却させる。ステップ２２０で０℃以上の場合、冷凍室・冷蔵室を冷却し、切替弁駆動手段により切替弁を制御する。
【００１６】
以上のように構成された冷蔵庫の運転装置について、同一回転数のまま一定時間経過後、回転数補正手段にて回転数を補正し、回転数決定手段より決定された回転数にて圧縮機を駆動し、冷蔵室温度設定補正手段により冷蔵室温度設定を上げ、切替弁駆動手段より切替弁を冷凍室に切り替えることにより、速やかに冷凍室、冷蔵室の直列冷却から冷凍室のみの優先冷却を行い、圧縮機回転数を上げることにより従来より早く冷凍室を冷却することができ、連続運転防止による圧縮機の巻き線の保護ができる。
【産業上の利用可能性】
【００１７】
以上のように、本発明にかかる冷蔵庫の制御装置は、冷凍室の冷却を冷蔵室より優先させ圧縮機回転数を上げて冷凍室の冷却能力を上げることで、圧縮機が同一回転数による連続運転を行うことがなくなり圧縮機の巻き線を保護することができ、回転数制御型の圧縮機を備えた冷却機器の信頼性確保に有用である。
【図面の簡単な説明】
【００１８】
【図１】本発明による冷蔵庫の制御装置の実施の形態の断面図
【図２】同冷蔵庫のフローチャート
【図３】従来例による冷蔵庫の制御装置の実施の形態の断面図
【図４】同冷蔵庫のフローチャート
【符号の説明】
【００１９】
１    冷蔵庫本体
３    冷蔵室
４    野菜室
５    冷凍室
６    製氷室
７    圧縮機
１３    冷凍室温度検知手段
１４    冷凍室温度設定手段
１５    冷凍室温度差演算手段
１６    冷蔵室温度検知手段
１７    冷蔵室温度設定手段
１８    冷蔵室温度差演算手段
１９    切替弁駆動手段
２０    圧縮機回転数決定手段
２１    圧縮機駆動手段
２２    回転数補正手段
２３    冷蔵室設定補正手段
【図１】
2005164192.tif 000003
【図２】
2005164192.tif 000004
【図３】
2005164192.tif 000005
【図４】
2005164192.tif 000006